(57)【要約】【課題】所定の設計天端高よりも上方の余盛コンクリートをきれいに取り去ることができるバケットを提供する。【解決手段】余盛コンクリート除去バケット（１０）は、平坦な下面（１１ｄ）を有する円形の底壁部（１１）と、底壁部の外縁から立ち上がる円筒形状の周壁部（１２）と、周壁部の中心軸線回りに回転するケリーバー（１０１）と連結するための連結部（１８）と、底壁部の中心と外縁との間に配設されて底壁部を貫通する余盛コンクリート取込口（１３）と、周壁部の内部空間に配置されて余盛コンクリート取込口を開閉する蓋部材（１７）とを備え、蓋部材は、枢軸で底壁部に連結され、下側に揺動して余盛コンクリート取込口を塞ぐ閉位置と、上側に揺動して余盛コンクリート取込口から離隔する開位置との間を揺動可能である。【選択図】図７
2017186787.tif 000002
【特許請求の範囲】
【請求項１】
現場打ちコンクリート杭の杭頭から余盛コンクリートを除去するためのバケットであって、
平坦な下面を有する円形の底壁部と、
前記底壁部の外縁から立ち上がる円筒形状の周壁部と、
前記周壁部の中心軸線回りに回転する回転軸と相対回転不能に連結するための連結部と、
前記底壁部の中心と外縁との間に配設され、前記底壁部を貫通する余盛コンクリート取込口と、
前記周壁部の内部空間に配置されて前記余盛コンクリート取込口を開閉する蓋部材とを備え、
前記蓋部材は、周方向一方縁および周方向他方縁を有し、前記周方向一方縁が前記余盛コンクリート取込口の周方向一方側で前記底壁部に連結され、前記周方向他方縁が上下方向に揺動可能であり、下側に揺動して前記余盛コンクリート取込口を塞ぐ閉位置と、上側に揺動して前記余盛コンクリート取込口から離隔する開位置との間を揺動可能である、余盛コンクリート除去バケット。
【請求項２】
前記余盛コンクリート取込口は周方向に間隔を空けて複数配設される、請求項１に記載の余盛コンクリート除去バケット。
【請求項３】
前記蓋部材の前記周方向一方縁は枢軸を介して前記底壁部に連結される、請求項１または２に記載の余盛コンクリート除去バケット。
【請求項４】
前記蓋部材は、ストッパによって開度を規制される、請求項１〜３のいずれかに記載の余盛コンクリート除去バケット。
【請求項５】
前記底壁部の上面は、前記余盛コンクリート取込口の周方向他方縁から周方向に離れるほど高くなる登り勾配に形成される、請求項１〜４のいずれかに記載の余盛コンクリート除去バケット。
【請求項６】
前記余盛コンクリート取込口は、前記底壁部の中心部と隣り合う頂部と、前記底壁部の外縁と隣り合う略円弧とによって区画される扇形孔であり、
前記蓋部材の前記周方向一方縁は、前記扇形孔の周方向一方縁部に連結される、請求項１〜５のいずれかに記載の余盛コンクリート除去バケット。
【請求項７】
前記底壁部は、前記周壁部の下端に変位可能に取り付けられ、前記周壁部の下端を覆う通常位置と、前記周壁部の下端から離れる解放位置とに選択的にされる、請求項１〜６のいずれかに記載の余盛コンクリート除去バケット。
【請求項８】
前記底壁部は、前記底壁部の外縁の周方向一箇所で、前記周壁部の下端に回動可能に連結される、請求項７に記載の余盛コンクリート除去バケット。
【発明の詳細な説明】
【技術分野】
【０００１】
本発明は、現場打ちコンクリート杭の施工に使用され、杭頭処理を行うバケットに関する。
【背景技術】
【０００２】
アースドリル工法等で地盤を掘削して杭穴を造成し、係る杭穴に生コンクリートを打設してコンクリート杭を築造する場合、杭穴の孔底から所定の設計天端高まで良質なコンクリートを打ち上げることを目的として、設計天端高を超えてコンクリートを打設する。これを余盛コンクリートという。余盛コンクリートは設計上不要であるばかりでなく、土砂やスライム等を含む不良なコンクリートを含む。このため、設計天端高を境界として上方に堆積する余盛コンクリートを除去する必要がある。かかる杭頭処理を行うバケットとして例えば特開昭６０−１１９８１５号公報（特許文献１）および特開平４−３４７２０８号公報（特許文献２）に記載のごときものが知られている。
【０００３】
特許文献１に記載の余盛コンクリート除去バケットは、バケット本体と、バケット本体の中心軸線に沿って延びる軸と、バケット本体の底面に設けられる開口部および蓋板とを有する。蓋板は軸の下端と結合し、軸を中心として時計方向および反時計方向に回動可能である。軸の上端はケリーバーに連結される。ケリーバーから軸にトルクを付与すると、蓋板が回動して開口部を閉じたり開いたりする。
【０００４】
特許文献２に記載の余盛コンクリート除去バケットも、バケット本体と、バケット本体の中心軸線に沿って延びる軸と、バケット本体の底面に設けられる開口部およびシャッタとを有する。シャッタは軸の下端と結合し、軸を中心として時計方向および反時計方向に回動可能である。軸の上端はケリーバーに連結される。ケリーバーから軸にトルクを付与すると、シャッタが回動して開口部を閉じたり開いたりする。
【先行技術文献】
【特許文献】
【０００５】
【特許文献１】特開昭６０−１１９８１５号公報
【特許文献２】特開平４−３４７２０８号公報
【発明の概要】
【発明が解決しようとする課題】
【０００６】
しかし、上記従来のような余盛コンクリート除去バケットにあっては、さらに改善すべき点があることを本発明者は見いだした。つまりバケット本体に対して軸およびシャッタを相対回動させて開口部を開閉するため、何らかの原因によりバケット本体が軸と共回りしてしまうと開口部が完全に閉まらない虞がある。したがってバケット本体に余盛コンクリートを取り込み、開口部が不完全に閉じたままバケット本体を杭穴から引き上げると、余盛コンクリートがバケット本体の開口部から漏れて落下してしまう。
【０００７】
特に特許文献１記載の余盛コンクリート除去バケットは、底面が円錐形状であり、中心が外縁よりも下方へ突出しているため、所定の設計天端高に合わせて余盛コンクリートをきれいに取り去ることができない。
【０００８】
本発明は、上述の実情に鑑み、所定の設計天端高に合わせて余盛コンクリートをきれいに取り去ることができ、しかもバケット底面の開口部を確実に閉じることができる技術を提供することを目的とする。
【課題を解決するための手段】
【０００９】
この目的のため本発明による余盛コンクリート除去バケットは、現場打ちコンクリート杭の杭頭から余盛コンクリートを除去するためのバケットであって、平坦な下面を有する円形の底壁部と、底壁部の外縁から立ち上がる円筒形状の周壁部と、周壁部の中心軸線回りに回転する回転軸と相対回転不能に連結するための連結部と、底壁部の中心と外縁との間に配設されて底壁部を貫通する余盛コンクリート取込口と、周壁部の内部空間に配置されて余盛コンクリート取込口を開閉する蓋部材とを備える。そして蓋部材は、底壁部の中心を基準として周方向一方縁および周方向他方縁を有し、周方向一方縁が余盛コンクリート取込口の周方向一方側で底壁部に連結され、周方向他方縁が上下方向に揺動可能であり、下側に揺動して余盛コンクリート取込口を塞ぐ閉位置と、上側に揺動して余盛コンクリート取込口から離隔する開位置との間を揺動可能である。
【００１０】
かかる本発明によれば、蓋部材が上下方向に揺動することから、バケットを持ち上げると、バケットの底壁部よりも上方に取り込まれた余盛コンクリートの重量および蓋部材の自重によって蓋部材が閉位置まで確実に移動する。したがって余盛コンクリート取り込み口を完全に閉じることができる。また本発明によればバケットの底壁部が平坦な下面を有することから、所定の設計天端高よりも上方の余盛コンクリートをきれいに取り去ることができる。したがって杭頭処理を効率良く行くことができる。余盛コンクリート取込口は１箇所のみに設けられてもよいし、あるいは複数箇所に設けられてもよい。
【００１１】
余盛コンクリート取込口は一個であってもよいし複数あってもよい。本発明の好ましい実施形態として、余盛コンクリート取込口は周方向に間隔を空けて複数配設される。より好ましくは、周方向等間隔に整列配置される。蓋部材は鉄製等、硬質の板材であってもよいし、ゴム等、弾性変形によって揺動する部材であってもよい。本発明の好ましい実施形態として、蓋部材の周方向一方縁は枢軸を介して底壁部に連結される。係る実施形態によれば、鉄製等、弾性変形しない硬質の蓋部材を確実に開閉させることができる。他の実施形態として、蓋部材の周方向一方縁はゴム材を介して底壁部に連結されてもよい。蓋部材の開度は特に限定されないが本発明の好ましい実施形態として蓋部材は、ストッパによって開度を規制される。かかる実施形態によれば、蓋部材が過度に開くことを防止して、蓋部材の下面を常時下方へ向けることができ、蓋部材を自重で確実に閉位置に復帰させることができる。
【００１２】
バケットの底壁部は、下面が平坦であればよく、上面の形態は特に限定されないが、本発明の好ましい実施形態として底壁部の上面は、余盛コンクリート取込口の周方向他方縁から周方向に離れるほど高くなる登り勾配に形成される。かかる実施形態によれば、コンクリート取込口の縁をエッジのように鋭角にすることができる。したがって設計天端高よりも下方のコンクリートを乱さないようにしつつ、設計天端高よりも上方の余盛コンクリートをナイフで切除するが如くきれいに取り去ることができる。他の実施形態として、底壁部の上面が平坦であってもよい。
【００１３】
余盛コンクリート取込口の形状および数は特に限定されないが本発明の好ましい実施形態として余盛コンクリート取込口は、底壁部の中心部と隣り合う頂部と、底壁部の外縁と隣り合う略円弧とによって区画される扇形孔であり、蓋部材の周方向一方縁は、扇形孔の周方向一方縁部に連結される。かかる実施形態によれば余盛コンクリート除去バケットを回転させる際に、底壁部の中心と外縁との間で余盛コンクリートを効率良く取り込むことができる。他の実施形態として、余盛コンクリート取込口は矩形、あるいは半月形、あるいは他の形状であってもよい。
【００１４】
本発明のさらに好ましい実施形態として底壁部は、周壁部の下端に変位可能に取り付けられ、周壁部の下端を覆う通常位置と、周壁部の下端から離れる解放位置とに選択的にされる。かかる実施形態によれば、バケットの底壁部を解放して、バケットに取り込んだ余盛コンクリートを容易に排出することができる。したがって杭頭処理終了後の片付けを効率良く行うことができる。
【００１５】
バケット周壁部とバケット底壁部との連結構造は特に限定されないが、本発明の一実施形態として底壁部は、底壁部の外縁の周方向一箇所で、周壁部の下端に回動可能に連結される。かかる実施形態によれば、底壁部が回動することから、取り込んだ余盛コンクリートの重量および底壁部の自重で、バケット底壁部を容易かつ迅速に解放位置にすることができる。底壁部が解放位置にされると、底壁部の外縁の周方向一箇所が周壁部の下端に連結したまま、底壁部の周方向残りの外縁が周壁部の下端から下方へ離隔する。他の実施形態として、底壁部は周壁部の下端にスライド可能に取り付けられてもよい。
【発明の効果】
【００１６】
このように本発明によれば、所定の設計天端高に合わせて余盛コンクリートをきれいに取り去ることができる。したがって短時間で正確に杭頭処理を完了することができ、施工効率が向上する。
【図面の簡単な説明】
【００１７】
【図１】本発明の一実施形態になる余盛コンクリート除去バケットを示す平面図である。
【図２】同実施形態を示す側面図である。
【図３】同実施形態を示す底面図である。
【図４】同実施形態の底壁部上面を示す内部平面図である。
【図５】同実施形態の底壁部の厚みを示す展開断面図である。
【図６】同実施形態の底壁部の厚みを示す展開断面図である。
【図７】同実施形態が余盛コンクリートを取り込む様子を示す縦断面図である。
【図８】同実施形態の底壁部の変位を示す縦断面図である。
【発明を実施するための形態】
【００１８】
以下、本発明の実施の形態を、図面に基づき詳細に説明する。図１は本発明の一実施形態になる余盛コンクリート除去バケットを示す平面図である。図２は同実施形態を示す側面図であり、参考のため一部断面で表す。図３は同実施形態を示す底面図であり、底壁部下面を表す。図４は同実施形態の底壁部上面を示す内部平面図であり、余盛コンクリート除去バケットの内部から底壁部をみた状態を表す。余盛コンクリート除去バケット１０は有底の鉄製バケットであり、円形の底壁部１１と、円筒形状の周壁部１２を備える。周壁部１２は底壁部１１の外縁から立ち上がる。
【００１９】
周壁部１２は余盛コンクリート除去バケット１０の側部をなす。周壁部１２の上端は、上方に向かってすぼまる形状のカエリ１４が延設される。また周壁部１２の上端部には梁１６が架設される。梁１６は周壁部１２の直径に沿って延び、周壁部１２の中心で結合する。梁１６によって周壁部１２の剛性が大きくなる。梁１６同士の結合箇所には連結部１８が設けられる。連結部１８は、正方形や、その他の多角形等の断面形状であり、上方へ向かって突出する。連結部１８は、図示しないケリーバーと相対回転不能に連結可能である。
【００２０】
底壁部１１は上面および下面１１ｄを有する円形の板材であって、下面１１ｄが平坦に形成される。底壁部１１は余盛コンクリート除去バケット１０の底部をなし、周壁部１２の下端を覆う。底壁部１１は図３に示すように、余盛コンクリートを取り込むための扇形孔１３を有する。扇形孔１３は、底壁部１１を貫通する。扇形孔１３は円形の底壁部１１に対応する形状であり、底壁部１１の中心と隣り合う頂部１３ｐと、底壁部１１の外縁に沿う円弧１３ｑとを有する。さらに扇形孔１３は、頂部１３ｐおよび円弧１３ｑの周方向一方端を結ぶ周方向一方縁１３ｍと、頂部１３ｐおよび円弧１３ｑの周方向他方端を結ぶ周方向他方縁１３ｎとを有する。周方向一方縁１３ｍおよび周方向他方縁１３ｎは、余盛コンクリート除去バケット１０の半径方向に延びる。
【００２１】
扇形孔１３は余盛コンクリート除去バケット１０の中心部１５に関し、対称となるように２箇所配設される。あるいは図示しない変形例として３箇所以上に周方向等間隔に配設してもよい。各扇形孔１３は同一形状であり、板状の蓋部材１７にそれぞれ覆われる。蓋部材１７は鉄製、あるいは弾性変形しない材料からなり、扇形孔１３の形状に対応する扇形に形成される。なお頂部１３ｐは厳密にいえば点でなくてもよく、円弧、あるいは円弧以外の曲線、あるいは直線であってもよい。また円弧１３ｑは、厳密な円弧である必要はなく、例えば円弧以外の曲線あるいは直線等、略円弧であればよい。周方向一方縁１３ｍから周方向他方縁１３ｎまでの開口領域は１５°以上４５°以下の範囲に含まれる所定値であればよい。開口領域が１５°未満だと余盛コンクリートの取り込み量が少ないためである。また開口領域が４５°以上だと、余盛コンクリート除去バケット１０を吊り上げたときに蓋部材１７に作用する余盛コンクリートの圧力が大きいためである。
【００２２】
図示しない変形例として、扇形孔１３は近似する三角孔であってもよいし、あるいは台形孔であってもよいし、あるいは矩形孔であってもよい。いずれにせよ余盛コンクリートを取り込むための貫通孔は、底壁部１１の中心と外縁との間に配設される。蓋部材の形状についても同様な変形例が可能である。
【００２３】
図４に示すように、扇形孔１３の周方向一方縁１３ｍには枢軸１９が取り付けられる。扇形状の蓋部材１７の周方向一方縁は枢軸１９を介して周方向一方縁１３ｍに枢着される。蓋部材１７は、枢軸１９回りに揺動可能であり、自重によって閉位置にされ、扇形孔１３を覆う。また蓋部材１７は、外力を受けると閉位置から上方へ持ち上がり、扇形孔１３を開く。そして上方への移動量が大きいほど、扇形孔１３の開度が大きくなる。
【００２４】
図５および図６は、同実施形態の底壁部の厚みを示す展開断面図であり、図４中のＶ−Ｖ断面で底壁部を切断し、切断面を矢印方向にみた状態を表す。Ｖ−Ｖ断面は周方向に延びる断面である。なお図５が蓋部材の閉位置を、図６が蓋部材の開位置をそれぞれ表す。蓋部材１７の開度は変化するものの、垂直に立つまで揺動することはなく、ストッパ２２によって開度を規制される。蓋部材１７の最大開度は２０°〜８０°の範囲に含まれる。蓋部材１７の最大開度が２０°未満の場合、扇形孔１３から取り込む余盛コンクリート量が少なくなってしまう。蓋部材１７の最大開度が９０°を超える場合、蓋部材１７が自重で閉位置に復帰し難くなる。ストッパ２２は周壁部１２の内側壁面、あるいは底壁部１１の上面に取付固定されるとよい。
【００２５】
ストッパ２２により、蓋部材１７の下面は図６に示すように常時下方を指向する。そして蓋部材１７に作用する上向きの外力が無くなると、蓋部材１７は自重で閉位置（図５）に復帰する。
【００２６】
図２に示すように底壁部１１は、底壁部１１の外縁の一箇所で、回動軸２０を介して、周壁部１２の下端に連結される。底壁部１１は、ロック機構２１によって図２に示すように通常位置に保持され、周壁部１２の下端を覆う。ただし底壁部１１は、回動軸２０を中心として下方へ回動可能であり、後述する解放位置へ変位することができる。
【００２７】
余盛コンクリート除去バケットを用いた杭頭処理につき説明する。
【００２８】
まずアースドリルを使用して、地盤に杭穴を造成する。次に杭穴に鉄筋籠をセットする。次に杭穴の穴底に生コンクリートを搬送して、杭穴の孔底から杭穴の上部までコンクリートを打ち上げる。これにより鉄筋コンクリート杭が構築される。図７は鉄筋コンクリート杭の杭頭を側方からみた状態を模式的に示す説明図である。生コンクリートは、鉄筋コンクリート杭の設計天端高Ｔを超えて上方へ打設される。
【００２９】
余盛コンクリート除去バケット１０の連結部１８は、ケリーバー１０１の下端に連結されて、鉄筋籠１０２の中に搬入される。余盛コンクリート除去バケット１０の底壁部１１を余盛コンクリートＳに押しつけると、各蓋部材１７が押し上げられて開位置にされる。
【００３０】
底壁部１１を余盛コンクリートＳに押しつけたままケリーバー１０１を回転させると図４に矢印Ｒで示すように余盛コンクリート除去バケット１０が時計回りに回転する。そうすると図６に示すように蓋部材１７が開いたまま、余盛コンクリートが太矢印で示すように扇形孔１３を通過して余盛コンクリート除去バケット１０の内部に取り込まれる（図７）。矢印Ｒは周方向一方縁１３ｍから周方向他方縁１３ｎへ扇形孔１３を横切る方向である。
【００３１】
ここで付言すると図５および図６に示すように、底壁部１１の上面１１ｃは、扇形孔１３の周方向他方縁１３ｎから周方向他方に離れるほど高くなる登り勾配に形成される。このため周方向他方縁１３ｎはエッジに形成され、余盛コンクリートＳをナイフで掬うように切除する。
【００３２】
余盛コンクリート除去バケット１０を回転させながら徐々に押し下げて未硬化の余盛コンクリートＳを取り込み、余盛コンクリート除去バケット１０の下端が設計天端高Ｔに達すると、余盛コンクリートの除去が完了する。次にケリーバー１０１を持ち上げて、余盛コンクリート除去バケット１０を杭頭から搬出する。このとき蓋部材１７は自動的に閉位置に復帰することから、搬出する際に扇形孔１３から余盛コンクリートＳが落下することがない。
【００３３】
図８は、底壁部の変位を示す縦断面図であり、底壁部の通常位置を仮想線で示し、底壁部の解放位置を実線で示す。底壁部１１を通常位置に保持するためのロック機構２１は、操作子２３と、閂２４と、操作ロッド２５とを有する。操作子２３は梁１６（図１）の上側に設けられる。閂２４は底壁部１１のうち回動軸２０から離れた箇所に設けられる。操作ロッド２５は操作子２３から閂２４まで上下方向に延び、操作ロッド２５の上端部が梁１６を貫通し、操作ロッド２５の下端部が例えばＬ字状に折り曲げ形成されて閂２４に係合する。これにより底壁部１１は梁１６から吊り下げられて通常位置に維持される。
【００３４】
操作子２３は、操作ロッド２５を中心として回動可能である。操作者が操作子２３を回動させると、操作子２３に結合する操作ロッド２５も回動し、操作ロッド２５と閂２４との係合が外れる。これにより底壁部１１は図８に実線で示すように下方へ回動して解放位置にされ、余盛コンクリート除去バケット１０内部の余盛コンクリートが下方へ排出される。
【００３５】
余盛コンクリート除去バケット１０を再利用する際は、余盛コンクリート除去バケット１０を洗浄し、底壁部１１を通常位置に復帰させてロック機構２１を掛けるとよい。
【００３６】
本実施形態の余盛コンクリート除去バケット１０は、平坦な下面１１ｄを有する円形の底壁部１１と、底壁部１１の外縁から立ち上がる円筒形状の周壁部１２と、周壁部１２の中心軸線回りに回転するケリーバー１０１と相対回転不能に連結するための連結部１８と、底壁部１１の中心部１５と外縁との間に配設され、底壁部１１を貫通する扇形孔１３と、周壁部１２の内部空間に配置されて扇形孔１３を開閉する蓋部材１７とを備える。蓋部材１７は、枢軸１９で底壁部１１に連結され、下側に揺動して扇形孔１３を塞ぐ閉位置（図５）と、上側に揺動して扇形孔１３から離隔する開位置（図６）との間を揺動可能である。本実施形態によれば底壁部１１が平坦な下面１１ｄを有することから、設計天端高Ｔよりも上方の余盛コンクリートをバケットの内部空間にきれいに取り込むことができる。
【００３７】
また本実施形態によれば、底壁部または周壁部に設けられるストッパ２２によって蓋部材１７の開度を規制されることから、蓋部材１７が開きすぎることがなく、蓋部材１７の下面が常時下方を指向する。したがって蓋部材１７は自重によって速やかに閉位置に復帰する。
【００３８】
また本実施形態によれば底壁部１１の上面１１ｃは、図５および図６に示すように扇形孔１３の周方向他方縁１３ｎから周方向に離れるほど高くなる登り勾配に形成されることから、周方向他方縁１３ｎを含む部分が片刃のナイフのようにエッジ状の断面に形成される。したがって設計天端高Ｔ以下のコンクリートを乱さないように余盛コンクリートＳを掬い取ることができる。
【００３９】
また本実施形態によれば余盛コンクリート取込口が扇形状に形成される。つまり扇形孔１３が余盛コンクリート取込口である。扇形孔１３は、底壁部１１の中心部１５と隣り合う頂部１３ｐと、底壁部１１の外縁と隣り合う円弧１３ｑとによって区画され、底壁部１１の中心部１５と底壁部１１の外縁との間に配設される。そして蓋部材１７は、扇形孔１３の周方向一方縁１３ｍに、枢軸１９で連結されることから、余盛コンクリートが扇形孔１３に取り込まれる際に余盛コンクリートが蓋部材１７を上方に持ち上げて、蓋部材１７は開位置にされる。したがって余盛コンクリートを扇形孔１３に効率よく取り込むことができる。
【００４０】
また本実施形態によれば図８に示すように、底壁部１１は周壁部１２の下端に変位可能に取り付けられ、周壁部１２の下端を覆う通常位置と、周壁部１２の下端から離れる解放位置とに選択的にされる。これにより余盛コンクリート除去バケット１０の内部空間に取り込まれた余盛コンクリートＳを、速やかに排出することができる。
【００４１】
特に本実施形態によれば、底壁部１１は、底壁部１１の外縁の周方向一箇所で、回動軸２０を介して周壁部１２の下端に回動可能に連結されることから、周壁部１２の下端を迅速に開放することができる。
【００４２】
以上、図面を参照してこの発明の実施の形態を説明したが、この発明は、図示した実施の形態のものに限定されない。図示した実施の形態に対して、この発明と同一の範囲内において、あるいは均等の範囲内において、種々の修正や変形を加えることが可能である。
【産業上の利用可能性】
【００４３】
この発明になる余盛コンクリート除去バケットは、土木施工において有利に利用される。
【符号の説明】
【００４４】
１０  余盛コンクリート除去バケット      １１  底壁部、      
１１ｃ  上面、        １１ｄ  下面、      １２  周壁部、      
１３  扇形孔(余盛コンクリート取込口)、      １３ｍ  周方向一方縁、      
１３ｎ  周方向他方縁、      １３ｐ  扇形孔の頂部、      
１３ｑ  扇形孔の円弧、      １５  中心部、      １６  梁、      
１７  蓋部材、      １８  連結部、      １９  枢軸、      
２０  回動軸、      ２１  ロック機構、      ２２  ストッパ、      
２３  操作子、      ２４  閂、      ２５  操作ロッド、      
１０１  ケリーバー、      １０２  鉄筋籠、      Ｓ  余盛コンクリート、    
Ｔ  設計天端高。
【図１】
2017186787.tif 000003
【図２】
2017186787.tif 000004
【図３】
2017186787.tif 000005
【図４】
2017186787.tif 000006
【図５】
2017186787.tif 000007
【図６】
2017186787.tif 000008
【図７】
2017186787.tif 000009
【図８】
2017186787.tif 000010
【手続補正書】
【提出日】平成28年10月20日(2016.10.20)
【手続補正１】
【補正対象書類名】特許請求の範囲
【補正対象項目名】全文
【補正方法】変更
【補正の内容】
【特許請求の範囲】
【請求項１】
現場打ちコンクリート杭の杭頭から余盛コンクリートを除去するためのバケットであって、
平坦な下面を有する円形の底壁部と、
前記底壁部の外縁から立ち上がる円筒形状の周壁部と、
前記周壁部と結合する部分であって、前記周壁部の中心軸線回りに回転する回転軸と相対回転不能に連結するための連結部と、
前記底壁部の中心と外縁との間に配設され、前記底壁部を貫通する余盛コンクリート取込口と、
前記周壁部の内部空間に配置されて前記余盛コンクリート取込口を開閉する蓋部材とを備え、
前記蓋部材は、周方向一方縁および周方向他方縁を有し、前記周方向一方縁が前記余盛コンクリート取込口の周方向一方側で前記底壁部に連結され、前記周方向他方縁が上下方向に揺動可能であり、下側に揺動して前記余盛コンクリート取込口を塞ぐ閉位置と、上側に揺動して前記余盛コンクリート取込口から離隔する開位置との間を揺動可能である、余盛コンクリート除去バケット。
【請求項２】
前記余盛コンクリート取込口は周方向に間隔を空けて複数配設される、請求項１に記載の余盛コンクリート除去バケット。
【請求項３】
前記蓋部材の前記周方向一方縁は枢軸を介して前記底壁部に連結される、請求項１または２に記載の余盛コンクリート除去バケット。
【請求項４】
前記蓋部材は、ストッパによって開度を規制される、請求項１〜３のいずれかに記載の余盛コンクリート除去バケット。
【請求項５】
前記底壁部の上面は、前記余盛コンクリート取込口の周方向他方縁から周方向に離れるほど高くなる登り勾配に形成される、請求項１〜４のいずれかに記載の余盛コンクリート
除去バケット。
【請求項６】
前記余盛コンクリート取込口は、前記底壁部の中心部と隣り合う頂部と、前記底壁部の外縁と隣り合う略円弧とによって区画される扇形孔であり、
前記蓋部材の前記周方向一方縁は、前記扇形孔の周方向一方縁部に連結される、請求項１〜５のいずれかに記載の余盛コンクリート除去バケット。
【請求項７】
前記底壁部は、前記周壁部の下端に変位可能に取り付けられ、前記周壁部の下端を覆う通常位置と、前記周壁部の下端から離れる解放位置とに選択的にされる、請求項１〜６のいずれかに記載の余盛コンクリート除去バケット。
【請求項８】
前記底壁部は、前記底壁部の外縁の周方向一箇所で、前記周壁部の下端に回動可能に連結される、請求項７に記載の余盛コンクリート除去バケット。
【手続補正２】
【補正対象書類名】明細書
【補正対象項目名】０００９
【補正方法】変更
【補正の内容】
【０００９】
この目的のため本発明による余盛コンクリート除去バケットは、現場打ちコンクリート杭の杭頭から余盛コンクリートを除去するためのバケットであって、平坦な下面を有する円形の底壁部と、底壁部の外縁から立ち上がる円筒形状の周壁部と、周壁部と結合する部分であって周壁部の中心軸線回りに回転する回転軸と相対回転不能に連結するための連結部と、底壁部の中心と外縁との間に配設されて底壁部を貫通する余盛コンクリート取込口と、周壁部の内部空間に配置されて余盛コンクリート取込口を開閉する蓋部材とを備える。そして蓋部材は、底壁部の中心を基準として周方向一方縁および周方向他方縁を有し、周方向一方縁が余盛コンクリート取込口の周方向一方側で底壁部に連結され、周方向他方縁が上下方向に揺動可能であり、下側に揺動して余盛コンクリート取込口を塞ぐ閉位置と、上側に揺動して余盛コンクリート取込口から離隔する開位置との間を揺動可能である。
【手続補正書】
【提出日】平成29年1月20日(2017.1.20)
【手続補正１】
【補正対象書類名】特許請求の範囲
【補正対象項目名】全文
【補正方法】変更
【補正の内容】
【特許請求の範囲】
【請求項１】
現場打ちコンクリート杭の杭頭から余盛コンクリートを除去するためのバケットであって、
平坦な下面を有する円形の底壁部と、
前記底壁部の外縁から立ち上がる円筒形状の周壁部と、
前記周壁部に架設される架設部材と、
前記架設部材に設けられて前記周壁部の中心軸線回りに回転する回転軸と相対回転不能に連結するための連結部と、
前記底壁部の中心と外縁との間に配設され、前記底壁部を貫通する余盛コンクリート取込口と、
前記周壁部の内部空間に配置されて前記余盛コンクリート取込口を開閉する蓋部材とを備え、
前記蓋部材は、周方向一方縁および周方向他方縁を有し、前記周方向一方縁が前記余盛コンクリート取込口の周方向一方側で前記底壁部に連結され、前記周方向他方縁が上下方向に揺動可能であり、下側に揺動して前記余盛コンクリート取込口を塞ぐ閉位置と、上側に揺動して前記余盛コンクリート取込口から離隔する開位置との間を揺動可能である、余盛コンクリート除去バケット。
【請求項２】
前記余盛コンクリート取込口は周方向に間隔を空けて複数配設される、請求項１に記載の余盛コンクリート除去バケット。
【請求項３】
前記蓋部材の前記周方向一方縁は枢軸を介して前記底壁部に連結される、請求項１または２に記載の余盛コンクリート除去バケット。
【請求項４】
前記蓋部材は、ストッパによって開度を規制される、請求項１〜３のいずれかに記載の余盛コンクリート除去バケット。
【請求項５】
前記底壁部の上面は、前記余盛コンクリート取込口の周方向他方縁から周方向に離れるほど高くなる登り勾配に形成される、請求項１〜４のいずれかに記載の余盛コンクリート
除去バケット。
【請求項６】
前記余盛コンクリート取込口は、前記底壁部の中心部と隣り合う頂部と、前記底壁部の外縁と隣り合う略円弧とによって区画される扇形孔であり、
前記蓋部材の前記周方向一方縁は、前記扇形孔の周方向一方縁部に連結される、請求項１〜５のいずれかに記載の余盛コンクリート除去バケット。
【請求項７】
前記底壁部は、前記周壁部の下端に変位可能に取り付けられ、前記周壁部の下端を覆う通常位置と、前記周壁部の下端から離れる解放位置とに選択的にされる、請求項１〜６のいずれかに記載の余盛コンクリート除去バケット。
【請求項８】
前記底壁部は、前記底壁部の外縁の周方向一箇所で、前記周壁部の下端に回動可能に連結される、請求項７に記載の余盛コンクリート除去バケット。
【手続補正２】
【補正対象書類名】明細書
【補正対象項目名】０００９
【補正方法】変更
【補正の内容】
【０００９】
この目的のため本発明による余盛コンクリート除去バケットは、現場打ちコンクリート杭の杭頭から余盛コンクリートを除去するためのバケットであって、平坦な下面を有する円形の底壁部と、底壁部の外縁から立ち上がる円筒形状の周壁部と、周壁部に架設される架設部材と、架設部材に設けられて周壁部の中心軸線回りに回転する回転軸と相対回転不能に連結するための連結部と、底壁部の中心と外縁との間に配設されて底壁部を貫通する余盛コンクリート取込口と、周壁部の内部空間に配置されて余盛コンクリート取込口を開閉する蓋部材とを備える。そして蓋部材は、底壁部の中心を基準として周方向一方縁および周方向他方縁を有し、周方向一方縁が余盛コンクリート取込口の周方向一方側で底壁部に連結され、周方向他方縁が上下方向に揺動可能であり、下側に揺動して余盛コンクリート取込口を塞ぐ閉位置と、上側に揺動して余盛コンクリート取込口から離隔する開位置との間を揺動可能である。